(57)【要約】      （修正有）【課題】クラウンのサイズ元を基調としながら、フィット感が良好な帽子を提供する。【解決手段】クラウン１の腰部の内側全周に周方向に伸縮する平ゴム５を縫い込んだ帽子である。周方向に伸縮性を有しない生地からなるクラウン１のサイズ元となる部分の内側全周に中空のゴム通し４を有すると共に、このゴム通し４にサイズ元部分を絞り縮めない長さで、当該ゴム通し４よりも周長が短い無端環状の平ゴム５を縫い込んでなる。平ゴム５は、サイズ元の寸法を最大として平ゴム４が伸長する。【選択図】図１
0003187787.tif 000002
【実用新案登録請求の範囲】
【請求項１】
クラウンの腰部の内側全周に周方向に伸縮する平ゴムを縫い込んだ帽子であって、前記周方向に伸縮性を有しない生地からなるクラウンのサイズ元となる部分の内側全周に中空のゴム通しを有すると共に、このゴム通しに前記サイズ元部分を絞り縮めない長さで、当該ゴム通しよりも周長が短い無端環状の平ゴムを縫い込んでなり、当該平ゴムは前記サイズ元の寸法を最大として伸長することを特徴とする帽子。
【請求項２】
クラウンは腰部を複数のレンゲで縫製してなり、前記レンゲ単位で平ゴムの伸長を規制した請求項１記載の帽子。
【請求項３】
ゴム通しは、クラウンの下縁内側にビン皮を縫い付けて形成した請求項１または２記載の帽子。
【考案の詳細な説明】
【技術分野】
【０００１】
この考案は、クラウンが柔軟でありながら、伸縮性を有しない生地からなるものについて、クラウンの型くずれを防止しつつ、着帽時に良好なフィット感が得られるようにした帽子に関するものである。
【背景技術】
【０００２】
従来、クラウンの腰部（サイドクラウンとも呼ばれるクラウンの側面部）の内側全周に、周方向に伸縮するゴム紐を縫い込んだフリーサイズ式の帽子は公知である（特許文献１等）。
【先行技術文献】
【特許文献】
【０００３】
【特許文献１】実開平４−６９４１７号公報
【考案の概要】
【考案が解決しようとする課題】
【０００４】
特許文献１のようなフリーサイズ式の帽子は、着帽時にゴム紐が自由に伸縮することで頭回りの適用寸法に大きな幅を持たせているが、頭回りが比較的小さい者にとっては緩く感じ、逆に頭回りが比較的大きい者にとっては窮屈に感じるなど、装着感（フィット感）を犠牲にしている。
【０００５】
また、クラウンの生地もゴム紐の伸縮に追従するように、伸縮性を有する生地で構成しているが、このような生地はもともと型くずれしやすく、また、脱帽時にはゴム紐が最も縮んだ状態となってクラウンが内側に絞り縮められ不用意に皺が寄ってしまうため、店頭ディスプレイにおけるシルエットも意図したとおりになりにくい。
【０００６】
これに対して、ゴム紐等のサイズ調整機能がない通常の帽子は、サイズさえ合えば、装着感も見た目も良好とすることができる。しかし、好みの形で、サイズがぴったり合う帽子を見つけることは一般的に難しく、毛髪の量や髪型によっても頭回り寸法が微妙に変わってくるが、そこまで事細かなサイズバリエーションの帽子を提供することも困難である。
【０００７】
本考案は上述した課題を解決するためになされたもので、その目的とするところは、クラウンのサイズ元を基調としながら、フィット感が良好な帽子を提供することである。
【課題を解決するための手段】
【０００８】
上述した目的を達成するために本考案では、クラウンの腰部の内側全周に周方向に伸縮する平ゴムを縫い込んだ帽子であって、前記周方向に伸縮性を有しない生地からなるクラウンのサイズ元となる部分の内側全周に中空のゴム通しを有すると共に、このゴム通しに前記サイズ元部分を絞り縮めない長さで、当該ゴム通しよりも周長が短い無端環状の平ゴムを縫い込むという手段を用いた。そして、平ゴムは、前記サイズ元の寸法を最大として伸長するようにした。
【０００９】
本考案の帽子では、クラウン（帽体）そのものは伸縮性を有しない生地からなるため、型くずれしにくい。そして、ゴム通しは当該クラウンのサイズ元（頭回り寸法）を決定する。これを目安として着用者は、自己の頭回り寸法にあった帽子を選ぶことになるが、前記ゴム通しに縫い込まれる平ゴムは、ゴム通しの周長よりも短いため、着帽時には常に平ゴムが伸びる。しかし、平ゴムの伸びは、伸縮性を有しないクラウンによって規制されるため、平ゴムの過剰な伸びは抑制されている。平ゴムが過剰に伸びると、その分、着用者に対する圧迫感（締め付け感）も増すが、本考案の帽子では平ゴムの伸びが規制されているため、このような圧迫感がなく、適度な締め付け感をもって着帽することができる。これは着用者にとって、帽子が不用意に脱げないという安心感をもたらす。また、毛髪の量や髪型といった微妙な寸法違いも、平ゴムの適度な伸びによって吸収することができる。
【００１０】
平ゴムは、上述のようにゴム通しの周長よりも短いのであるが、その下限長は、製帽時（脱帽時）に、クラウンのサイズ元を絞り縮めない長さに規定している。したがって、平ゴムによってクラウンが型くずれすることはなく、製帽時のシルエットを維持することができる。
【００１１】
本考案において、クラウンは従来と同じ製法によって作成され、全体を一枚の生地から構成することもできるが、複数のレンゲを縫製して腰部を構成することが好ましい。クラウン全体が一枚の生地であると、着帽時に平ゴムが伸びる際、部分的な引きつりによってクラウン全体のシルエットに影響するが、複数のレンゲを縫製することで、レンゲ単位で平ゴムの伸び代が規定できるからである。
【００１２】
なお、ゴム通しは、表と裏の二枚の生地で袋状に縫製するのが最も簡便であるが、その際、クラウンの下縁内側にビン皮を縫い付けて形成することが好ましい。この場合、ビン皮が着用者の額等に接することになって、装着感がよく、また吸汗作用も得られるからである。
【考案の効果】
【００１３】
本考案によれば、クラウンを非伸縮性の生地で製造し、その腰部にサイズ元よりも周長が短いが、前記サイズ元を絞り縮めない長さの平ゴムを縫い込んだので、平ゴムの伸縮によってクラウンが型くずれすることなく、また着帽時の平ゴムの過剰な伸びが規制され、適度な締め付けによりフィット感に優れた帽子を提供することができる。
【図面の簡単な説明】
【００１４】
【図１】本考案の一実施形態に係る帽子の一部を切欠した全体斜視図
【図２】同帽子のゴム通しの断面図
【考案を実施するための形態】
【００１５】
以下、本考案の好ましい実施の形態を添付した図面に従って説明する。図１は、本考案の一実施形態に係る帽子の全体斜視図であり、１はクラウン、２はブリムであり、婦人用のレジャーハットを例示したものである。クラウン１は、伸縮性を有しない、比較的厚手の生地によって構成している。そして、この実施形態では、クラウン１を、６枚のレンゲ１ａを縫製して腰部（サイドクラウン）を形成し、その天井にトップクラウン１ｂを構成してなる。
【００１６】
こうした構成のクラウン１の下縁内側には、帯状のビン皮３の上下縁を全周に腰部全周わたって縫い付け、中空のゴム通し４を形成している。このゴム通し４は、帽子のサイズ元を規定するもので、その内部にはビン皮３をクラウン１に縫い付ける際、平ゴム５を縫い込んでいる。
【００１７】
平ゴム５は、無端環状（ループ状）の状態でゴム通し４に縫い込んである。ここで平ゴム５は、クラウン１やビン皮３には縫着せず、図２に示したように、単にゴム通し４に通した状態で縫い込んでいるが、適当な箇所をビン皮３等に縫着してズレ止めしてもよい。
【００１８】
そして、平ゴム５は、着帽時にクラウン１の腰部の周方向に伸縮する。ここで平ゴム５の長さは、図面上、明確に示せないが、本考案の特徴点を有する。即ち、平ゴム５は、ゴム通し４の周長よりも短い。つまり、平ゴム５は、本帽子のサイズ元の寸法よりも若干短い。したがって、装着時には、平ゴム５が伸びて、頭部に密着する。
【００１９】
しかし、平ゴム５の長さを極端に短くすると、着帽時に窮屈となるばかりでなく、その縮み方向の弾性力によってクラウン１の腰部を絞り縮めて、不用意な皺が発生するなど、クラウン１のシルエットを阻害することになる。このような型くずれを防止し、装着感を良好とするため、本考案では、平ゴム５を前記サイズ元を絞り縮めない長さとしている。要するに、平ゴム５は、何ら力を加えず非伸縮の状態で、ゴム通し４の周長よりも若干短い長さとする。具体的な数値は、クラウン１の素材や形状にもよるが、クラウン１のレンゲ１ａごとに２〜３ｍｍずつ伸び代を確保するとすれば、ゴム通し４（サイズ元）よりも１．２〜１．５ｃｍ程度短くすることができる。
【００２０】
このような長さの平ゴム５は、脱帽時にクラウン１の形を崩さず、着帽時には周方向に伸びて、サイズ元が着用者の頭部に密着することになるが、本考案では、クラウン１は周方向に伸縮しないため、平ゴム５の伸びはサイズ元の寸法と一致した段階で止まる。このため、平ゴム５は過剰に伸びず、適当な締め付け力をもって着用者の頭部に密着する。したがって、サイズ元に近い頭回り寸法を有する者に対して、良好なフィット感を与える。また、毛髪の量や髪型による誤差は、平ゴム５によって吸収することもできる。
【００２１】
さらに、クラウン１を複数のレンゲ１ａで構成したことで、着帽時のクラウン１の型くずれも防止することができる。つまり、着帽時に、頭の形状等によっては平ゴム５が部分的に伸びることがあり、この場合、平ゴム５が伸びた部分のクラウン１に引きつり生じる。しかし、この引きつりは、そこに位置するレンゲ１ａで吸収され、他のレンゲ１ａに波及せず、クラウン全体の形状に影響しない。この点、一枚の生地でクラウン１を製帽した場合、部分的な引きつりが他の部位にも作用して、不用意な皺の発生をもたらすことがある。
【００２２】
さらに、上記実施形態では、平ゴム５を縫い込むゴム通し４をビン皮３によって構成したので、ビン皮３のスベリ効果によって着用者の額に対する装着感がよい。また、ビン皮３の吸汗作用によって、さらに良好な装着感が得られる。
【００２３】
なお、ゴム通し４を形成するに当たり、ビン皮３は、ギャザーをつけるなどして、やや余裕を持たせた状態でクラウン１の裏側に縫着することができる。こうすることで、着帽時に平ゴム５が伸びる際、確実にビン皮３も追従させることができる。
【００２４】
上記実施形態におけるクラウン１やブリム２の形状は一例であって、本考案を限定するものではない。
【符号の説明】
【００２５】
１  クラウン
１ａ  レンゲ
１ｂ  トップクラウン
２  ブリム
３  ビン皮
４  ゴム通し
５  平ゴム
【図１】
0003187787.tif 000003
【図２】
0003187787.tif 000004